(57)【要約】【課題】  鉄塔に飛来する鳥類を自動かつ短時間で簡単に追い払うことができる鳥類飛来防止装置を提供する。【解決手段】  鉄塔に飛来する鳥類を、その鉄塔を直接あるいは間接的に打撃することで追い払う鳥類飛来防止装置１において、鉄塔に取り付けられる打撃装置２と、その打撃装置２を起動する起動制御装置３とからなり、起動制御装置３は携帯端末機器４を有し、その携帯端末機器４の着信で打撃装置２を起動するものである。【選択図】  図１
2006246803.tif 000002
【特許請求の範囲】
【請求項１】
鉄塔に飛来する鳥類を、その鉄塔を直接あるいは間接的に打撃することで追い払う鳥類飛来防止装置において、鉄塔に取り付けられる打撃装置と、その打撃装置を起動する起動制御装置とからなり、起動制御装置は携帯端末機器を有し、その携帯端末機器の着信で上記打撃装置を起動することを特徴とする鳥類飛来防止装置。
【請求項２】
上記打撃装置を鉄塔の上部に取り付け、上記起動制御装置を鉄塔の下部に取り付け、上記打撃装置と上記起動制御装置をケーブルで接続した請求項１記載の鳥類飛来防止装置。
【請求項３】
上記打撃装置は、鉄塔に取り付けられる金属製の打撃用ケースと、その打撃用ケース内にそれぞれ収納され、打撃用ケースを介して鉄塔を打撃するハンマーと、そのハンマーを昇降させる昇降装置とを備えた請求項１または２記載の鳥類飛来防止装置。
【請求項４】
上記ハンマーは、そのアーム部が上記打撃用ケース内に回動自在に設けられると共に、スプリングにより上記打撃用ケースの打撃面をハンマー部が打撃するように付勢され、上記昇降装置は、上記アーム部と係脱自在に設けられ、係合時上記ハンマー部を上記スプリングに抗して上記打撃面から持ち上げると共に、上記ハンマー部を所定距離持ち上げた時上記アーム部との係合を解除するカムと、そのカムを回転させるモータとを備えた請求項３記載の鳥類飛来防止装置。
【請求項５】
上記起動制御装置は、上記携帯端末機器の着信を検出する着信センサと、その着信センサの着信検出で上記打撃装置を起動する制御部とを備えた請求項１〜４いずれかに記載の鳥類飛来防止装置。
【請求項６】
上記制御部は、上記打撃装置を動作する動作間隔・動作時間および上記打撃装置の打撃リズム・打撃パターンを設定すると共に、その設定に基づいて上記打撃装置を制御するマイコンを備え、そのマイコンには、上記打撃装置が起動する時間帯を設定するタイマが接続される請求項５記載の鳥類飛来防止装置。
【請求項７】
上記起動制御装置は、上記携帯端末機器と上記制御部と上記打撃装置とに電力を供給する電源部を備えた請求項５または６記載の鳥類飛来防止装置。
【請求項８】
発電を行うソーラパネルと、そのソーラパネルで発電した電力を充電するバッテリとを接続し、そのバッテリに上記電源部を接続した請求項７記載の鳥類飛来防止装置。
【請求項９】
上記起動制御装置は、鉄塔に取り付けられる金属製の起動用ケースを備え、その起動用ケースに上記ソーラパネルが取り付けられると共に、上記ソーラーパネル以外の部品が収納される請求項８記載の鳥類飛来防止装置。
【請求項１０】
上記携帯端末機器のアンテナを上記起動用ケースから突出した樹脂製の突出部内に収納した請求項９記載の鳥類飛来防止装置。
【発明の詳細な説明】
【技術分野】
【０００１】
本発明は、鉄塔に飛来するムクドリやカラスなどの鳥類を、その鉄塔を直接あるいは間接的に打撃することで追い払う鳥類飛来防止装置に関する。
【背景技術】
【０００２】
鳥類、特にムクドリ（椋鳥）の集団飛来により、周辺住民から糞の付着や騒音に伴う苦情の発生している送電線路の鉄塔では、ムクドリを追い払うべく、鉄塔に磁気を使用した器具やカラスの模型等を取り付けるなど試行錯誤しているが、ムクドリの飛来を効果的に防止する手段が無いのが現状である。
【０００３】
効果的な方法としては、作業員が鉄塔の上部でムクドリの飛来に備えて待機し、鉄塔部材を木槌等で打撃・威嚇することにより、ムクドリを追い払う方法や、鉄塔の上部に取り付けた鈴を地上まで延ばしたロープで作業員が操作し、鈴を鳴らすことにより、ムクドリを追い払う方法がある。
【０００４】
なお、この出願の発明に関連する先行技術文献情報としては、次のものがある。
【０００５】
【特許文献１】特開平１０−０２８５１１号公報
【特許文献２】特開２０００−０５０７８４号公報
【発明の開示】
【発明が解決しようとする課題】
【０００６】
ムクドリは季節的に飛来し、夕方の時間帯に鉄塔に留まることから、実際の送電線路において、対象鉄塔に作業員を塔上で待機させ、作業員が鉄塔部材を木槌等で打撃・威嚇する方法でムクドリを追い払うことで対応していた。しかしこの方法では、ムクドリの飛来を防止する効果はあるが非効率的であることから、鉄塔の上部に鈴を取り付け、地上まで延ばしたロープを作業員が引いて鈴を鳴らす方法とした。
【０００７】
しかしながら、対応が必要な時期は不定期であり、その適切な対応に苦慮したことから、鉄塔を囲むフェンスの外からロープを操作できるように改良し、必要に応じて誰もがロープを引いてムクドリを追い払うことができるようにしたが、ロープを引く手間を改善するような更なる工夫が必要と感じた。
【０００８】
そこで、本発明の目的は、鉄塔に飛来する鳥類を自動かつ短時間で簡単に追い払うことができる鳥類飛来防止装置を提供することにある。
【課題を解決するための手段】
【０００９】
本発明は上記目的を達成するために創案されたものであり、請求項１の発明は、鉄塔に飛来する鳥類を、その鉄塔を直接あるいは間接的に打撃することで追い払う鳥類飛来防止装置において、鉄塔に取り付けられる打撃装置と、その打撃装置を起動する起動制御装置とからなり、起動制御装置は携帯端末機器を有し、その携帯端末機器の着信で上記打撃装置を起動する鳥類飛来防止装置である。
【００１０】
請求項２の発明は、上記打撃装置を鉄塔の上部に取り付け、上記起動制御装置を鉄塔の下部に取り付け、上記打撃装置と上記起動制御装置をケーブルで接続した請求項１記載の鳥類飛来防止装置である。
【００１１】
請求項３の発明は、上記打撃装置は、鉄塔に取り付けられる金属製の打撃用ケースと、その打撃用ケース内にそれぞれ収納され、打撃用ケースを介して鉄塔を打撃するハンマーと、そのハンマーを昇降させる昇降装置とを備えた請求項１または２記載の鳥類飛来防止装置である。
【００１２】
請求項４の発明は、上記ハンマーは、そのアーム部が上記打撃用ケース内に回動自在に設けられると共に、スプリングにより上記打撃用ケースの打撃面をハンマー部が打撃するように付勢され、上記昇降装置は、上記アーム部と係脱自在に設けられ、係合時上記ハンマー部を上記スプリングに抗して上記打撃面から持ち上げると共に、上記ハンマー部を所定距離持ち上げた時上記アーム部との係合を解除するカムと、そのカムを回転させるモータとを備えた請求項３記載の鳥類飛来防止装置である。
【００１３】
請求項５の発明は、上記起動制御装置は、上記携帯端末機器の着信を検出する着信センサと、その着信センサの着信検出で上記打撃装置を起動する制御部とを備えた請求項１〜４いずれかに記載の鳥類飛来防止装置である。
【００１４】
請求項６の発明は、上記制御部は、上記打撃装置を動作する動作間隔・動作時間および上記打撃装置の打撃リズム・打撃パターンを設定すると共に、その設定に基づいて上記打撃装置を制御するマイコンを備え、そのマイコンには、上記打撃装置が起動する時間帯を設定するタイマが接続される請求項５記載の鳥類飛来防止装置である。
【００１５】
請求項７の発明は、上記起動制御装置は、上記携帯端末機器と上記制御部と上記打撃装置とに電力を供給する電源部を備えた請求項５または６記載の鳥類飛来防止装置である。
【００１６】
請求項８の発明は、発電を行うソーラパネルと、そのソーラパネルで発電した電力を充電するバッテリとを接続し、そのバッテリに上記電源部を接続した請求項７記載の鳥類飛来防止装置である。
【００１７】
請求項９の発明は、上記起動制御装置は、鉄塔に取り付けられる金属製の起動用ケースを備え、その起動用ケースに上記ソーラパネルが取り付けられると共に、上記ソーラーパネル以外の部品が収納される請求項８記載の鳥類飛来防止装置である。
【００１８】
請求項１０の発明は、上記携帯端末機器のアンテナを上記起動用ケースから突出した樹脂製の突出部内に収納した請求項９記載の鳥類飛来防止装置である。
【発明の効果】
【００１９】
本発明によれば、鉄塔に飛来する鳥類を自動かつ短時間で簡単に追い払うことができるという優れた効果を発揮する。
【発明を実施するための最良の形態】
【００２０】
以下、本発明の好適な実施の形態を添付図面にしたがって説明する。
【００２１】
図１は、本発明の好適な実施の形態を示す鳥類飛来防止装置のブロック図である。
【００２２】
図１に示すように、本実施の形態に係る鳥類飛来防止装置１は、送電線路の鉄塔に取り付けられる打撃装置（鉄塔打撃機構部）２と、その打撃装置２を起動する起動制御装置３とからなり、起動制御装置３は携帯端末機器としての携帯電話４を有し、その携帯電話４の着信で打撃装置２を起動するものである。
【００２３】
打撃装置２は、鉄塔（厳密には、鉄塔を構成する鉄塔部材）を間接的に打撃するものであり、駆動源としてモータ５を備える。打撃装置２の詳しい構成は図４や図５で後述する。
【００２４】
起動制御装置３は、携帯電話４と、その携帯電話４の着信を検出する着信センサ６と、その着信センサ６の着信検出で打撃装置２を起動する制御部７と、その制御部７に備えられ、後述するマイコン１４に接続されて打撃装置２が起動する時間帯を設定するタイマ８と、携帯電話４と制御部７と打撃装置２とに電力を供給する電源部９と、発電を行うソーラパネル（ソーラユニット）１０と、そのソーラパネル１０と電源部９間に接続されてソーラパネル１０で発電した電力を充電するバッテリ（蓄電池）としての充電用電池１１とで構成される。
【００２５】
着信センサ６としては、例えば、携帯電話４のアンテナ１２で受信される電波の誘導電流を検出する電流センサを用いる。
【００２６】
制御部７は、着信センサ６の着信検出を起動信号として検知する起動信号検知部１３と、タイマ８で設定した時間帯内に起動信号検知部１３から起動信号が入力されたとき、制御信号を出力するマイコン１４と、マイコン１４からの制御信号に基づいてモータ５を駆動するモータ駆動部１５とで構成される。また、マイコン１４は、打撃装置２を動作する動作間隔・動作時間および打撃装置２の打撃リズム・打撃パターンを設定すると共に、その設定に基づいて打撃装置２を制御するものである。
【００２７】
電源部９は、携帯電話４を充電する携帯充電部１６と、マイコン１４に電力を供給する制御電源部１７と、モータ駆動部１５を介してモータ５に電力を供給するモータ電源部１８と、充電用電池１１に接続されて携帯充電部１６と制御電源部１７とモータ電源部１８とに電力を供給する電源回路１９とで構成される。
【００２８】
鳥類飛来防止装置１の設置は、例えば図２に示すように、打撃装置２を送電線路２１の鉄塔２２の上部（例えば、地上から約３０〜４０ｍの高さの鉄塔頂部付近）に取り付け、起動制御装置３を鉄塔２２の下部（例えば、地上から約１０〜１５ｍの高さ）に取り付け、打撃装置２と起動制御装置３をケーブル２３で接続して行う。
【００２９】
鉄塔２２は、ムクドリやカラスなどの鳥類ｂが飛来することで、鉄塔２２の周辺住民から苦情が発生している鉄塔や、送電線故障が発生するおそれのある鉄塔である。ケーブル２３としては、航空障害灯などに使用されるＣＶケーブルを使用し、信頼性を確保する。
【００３０】
起動制御装置３の一例を説明する。
【００３１】
図３に示すように、起動制御装置３は、鉄塔に取り付け金具で取り付けられる金属製の起動用ケース３１を備えている。起動用ケース３１は、パッキン３２付きの箱状のケース本体３３にフタ３４を開閉自在に設けることで、水密（防水）構造になっている。起動用ケース３１は、機械的な強度を十分に有し、鉄塔部材に穴あけしないで取り付けられるようにする。
【００３２】
フタ３４の表面にはソーラパネル１０が取り付けられ、ケース本体３３内にソーラパネル１０以外の部品が収納される。携帯電話４のアンテナ１２は、ケース本体３３から突出した樹脂製の突出部３５内に収納される。これは、金属製の起動用ケース３１内に収納した携帯電話４でも電波の受信を可能とするためである。
【００３３】
携帯充電部１６としては、携帯電話４に付属された充電器を用いる。起動用ケース３１内には回路基板３６が収納され、その回路基板３６に、図１の制御部７（図１のタイマ８はマイコン１４に組み込まれる）と、携帯充電部１６を除く図１の電源部９とが搭載される。
【００３４】
打撃装置２の一例を説明する。
【００３５】
図４に示すように、打撃装置２は、鉄塔に取り付け金具で取り付けられる金属製の打撃用ケース４１と、その打撃用ケース４１内にそれぞれ収納され、打撃用ケース４１を介して鉄塔を打撃するハンマー４２と、そのハンマー４２を昇降する昇降装置４３とを備えている。打撃用ケース４１は、パッキン４４付きの箱状のケース本体４５にフタ４６を開閉自在に設けることで、水密構造になっている。図４では、ケース本体４５の底面に密着させて上方が開放された箱状の金属板４７を取り付け、その金属板４７の一側面を打撃面ｈとした。打撃用ケース４１は、機械的な強度を十分に有し、鉄塔部材に穴あけしないで取り付けられるようにする。
【００３６】
図５（ａ）〜図５（ｃ）に示すように、ハンマー４２は、そのアーム部５１がアーム支点５２とストッパ５３により打撃用ケース４１内に回動自在に設けられると共に、スプリング５４により打撃用ケース４１の打撃面ｈをハンマー部５５が打撃するように付勢される。
【００３７】
昇降装置４３は、アーム部５１と係脱自在に設けられ、係合時ハンマー部５５をスプリング５４に抗して打撃面ｈから持ち上げると共に、ハンマー部５５を所定距離持ち上げた時アーム部５１との係合を解除するカム５６と、そのカム５６を回転させるモータ５とを備える。
【００３８】
モータ５でカム５６を回転させると、打撃装置２が順次図５（ａ）の動作開始状態、図５（ｂ）のハンマーのリリース状態、図５（ｃ）のハンマーの打撃状態を繰り返すことで、ハンマー部５５が打撃用ケース４１の打撃面ｈを一定時間繰り返し打撃する。
【００３９】
次に、鳥類飛来防止装置１の動作を説明する。
【００４０】
まず、予め鉄塔２２の周辺住民に携帯電話４の電話番号を知らせておく。また、タイマ８に打撃装置２が起動する時間帯を設定しておく。マイコン１４には、打撃装置２を動作する動作間隔・動作時間および打撃装置２の打撃リズム・打撃パターンを設定しておく。携帯電話４は電波を受信するが、通話接続しないように設定しておき、電話発信者側に通話料金が発生しないようにする。
【００４１】
鉄塔２２にムクドリやカラスなどの鳥類ｂが飛来し、これに気付いた周辺住民が携帯電話４に電話をかけると、着信センサ６が携帯電話４の着信を検出し、起動信号検知部１３が着信センサ６の着信検出を起動信号として検知してマイコン１４に出力する。
【００４２】
マイコン１４は、タイマ８で設定した時間帯内に起動信号検知部１３から起動信号が入力されたとき、制御信号をモータ駆動部１５に出力し、打撃装置２を起動する。このとき、マイコン１４は、設定した上記動作間隔・動作時間および打撃リズム・打撃パターンに基づき、打撃装置２を制御する。マイコン１４は、タイマ８で設定した時間帯外に起動信号検知部１３から起動信号が入力されたときは、制御信号を出力せず、打撃装置２を起動しない。
【００４３】
この制御信号に基づいてモータ駆動部１５がモータ５を駆動することで、打撃装置２のハンマー４２が打撃用ケース４１を介して鉄塔２２を一定時間（例えば、約１０秒間）繰り返し打撃する。
【００４４】
このように、鳥類飛来防止装置１は、携帯電話４の着信で打撃装置２を起動し、その打撃装置２で鉄塔２２を間接的に打撃するので、打撃音と鉄塔２２に伝わる振動により、鉄塔２２に飛来する鳥類ｂを自動かつ短時間で簡単に追い払うことができる。鳥類ｂを警戒させて鉄塔２２への飛来を減少させることもできる。
【００４５】
打撃装置２は鉄塔２２を打撃用ケース４１を介して間接的に打撃するため、鉄塔２２の損傷を防止できる。打撃装置２としては、鉄塔２２を直接打撃するものを用いてもよい。
【００４６】
打撃装置２を鉄塔２２の上部に設けることで、鉄塔２２の上部に飛来して留まる習性がある鳥類ｂを確実に追い払うことができる。さらに、起動制御装置３を鉄塔の下部に設けることで、取り付けの作業性、保守メンテナンス性が向上する。
【００４７】
携帯端末機器としては携帯電話４の代わりにＰＨＳを用いてもよい。起動制御装置３を鉄塔の下部に設ければ、電波の受信可能エリアが地上付近に限られているＰＨＳでも確実に電波を受信できる。
【００４８】
起動制御装置３は、打撃装置２が起動する時間帯を設定するタイマ８を備えているので、タイマ８で設定した時間帯のみに打撃装置２を起動できる。例えば、ムクドリが飛来する季節の夕方の時間帯だけでなく、朝や昼の時間帯にも起動装置２を起動できる。また、夜などのタイマ８で設定した時間帯外に携帯電話４に着信しても、打撃装置２を起動しないようにすることができる。
【００４９】
携帯電話４、制御部７、打撃装置２への電力供給は、ソーラパネル１０と充電用電池１１を併用して行うので、くもりや雨などの日照が不十分な状況下であっても鳥類飛来防止装置１を所定の期間稼動できる。
【００５０】
鳥類ｂに慣れを生じさせないため、マイコン１４にマイコンソフトを組み込み、打鍵のスピードやリズム（一定時間にハンマー４２が鉄塔２２を打撃する回数）を適宜変えてもよい。
【００５１】
また、鉄塔２２に作業員が昇降塔するための昇降設備が既設されている場合は、この昇降設備に打撃装置２を取り付け、打撃装置２を起動する際に昇降設備を自動で昇降塔させてもよい。
【００５２】
上記実施の形態では、１台の起動制御装置３で１台の打撃装置２を起動する例で説明したが、１つの鉄塔２２に複数台の打撃装置２を設け、１台の起動制御装置３で複数台の打撃装置２を同時に起動させてもよい。この場合、鳥類ｂをより効果的に追い払うことができる。
【００５３】
着信センサ６として電流センサを用いる例で説明したが、マナーモードに設定した携帯電話４を使用する場合は、着信センサ６として、着信した携帯電話４の振動を検出する振動センサを用いてもよい。
【００５４】
携帯電話４の着信を検出して光るＬＥＤを備えたアンテナを使用する場合には、着信センサ６として、アンテナのＬＥＤの光を検出する光センサを用いてもよい。
【００５５】
タイマ８の代わりに、外部の光を検出する外部光センサと、外部光センサの光検出で昼夜の明るさを検知する昼夜検知部とを用いることで、打撃装置２が起動する時間帯を決定してもよい。昼夜検知部は、制御部７に備えられ、外部光センサとマイコン１４間に接続される。
【図面の簡単な説明】
【００５６】
【図１】本発明の好適な実施の形態を示す鳥類飛来防止装置のブロック図である。
【図２】図１に示した鳥類飛来防止装置の設置例を示す概略図である。
【図３】起動制御装置の一例を示す概略図である。
【図４】打撃装置の一例を示す概略図である。
【図５】図５（ａ）は図４に示した打撃装置の動作開始状態、図５（ｂ）はそのハンマーのリリース状態、図５（ｃ）はそのハンマーの打撃状態を示す概略図である。
【符号の説明】
【００５７】
１  鳥類飛来防止装置
２  打撃装置
３  起動制御装置
４  携帯電話（携帯端末機器）
【図１】
2006246803.tif 000003
【図２】
2006246803.tif 000004
【図３】
2006246803.tif 000005
【図４】
2006246803.tif 000006
【図５】
2006246803.tif 000007